【手続補正書】
【提出日】平成16年8月26日(2004.8.26)
【手続補正１】
【補正対象書類名】明細書
【補正対象項目名】特許請求の範囲
【補正方法】変更
【補正の内容】
【特許請求の範囲】
【請求項１】
パチンコ機用回路基板を収納するケース本体と、該ケース本体に蓋をする蓋体とを備え、該蓋体および前記ケース本体を互いに離脱困難に封止するパチンコ機用基板ケースの封止構造において、
２枚の板を短冊状の板で繋いだ構造の第１基台部と、
２枚の板を短冊状の板で繋いだ構造の第２基台部と、
前記蓋体に形成され、前記第１基台部の短冊状の板が入り込む溝と、
前記ケース本体に形成され、前記第２基台部の短冊状の板が入り込む溝と、
を備え、前記第１基台部および前記第２基台部は、夫々前記蓋体の縁および前記ケース本体の縁を前記２枚の板にて挟むことにより、前記ケース本体から前記蓋体を取り外し自在となった状態でのみ、夫々前記蓋体および前記ケース本体に対して着脱自在にされており、
前記第２基台部および前記第１基台部を夫々前記ケース本体および前記蓋体に取り付けた状態で、該第２基台部および該第１基台部を互いに固着するための基台部固着手段、
を備えることを特徴とするパチンコ機用基板ケースの封止構造。
【手続補正２】
【補正対象書類名】明細書
【補正対象項目名】００１０
【補正方法】削除
【補正の内容】
【手続補正３】
【補正対象書類名】明細書
【補正対象項目名】００１１
【補正方法】削除
【補正の内容】
【手続補正４】
【補正対象書類名】明細書
【補正対象項目名】００１２
【補正方法】削除
【補正の内容】
【手続補正５】
【補正対象書類名】明細書
【補正対象項目名】００１３
【補正方法】削除
【補正の内容】
【手続補正６】
【補正対象書類名】明細書
【補正対象項目名】００１４
【補正方法】変更
【補正の内容】
【００１４】
本発明は、これらの課題に鑑みなされたもので、請求項１に記載のパチンコ機用基板ケースの封止構造（以下、単に封止構造とも言う）は、任意の回数の解封に対応可能とすることを目的としている。
【手続補正７】
【補正対象書類名】明細書
【補正対象項目名】００１５
【補正方法】削除
【補正の内容】
【手続補正８】
【補正対象書類名】明細書
【補正対象項目名】００１６
【補正方法】削除
【補正の内容】
【手続補正９】
【補正対象書類名】明細書
【補正対象項目名】００１７
【補正方法】削除
【補正の内容】
【手続補正１０】
【補正対象書類名】明細書
【補正対象項目名】００１８
【補正方法】削除
【補正の内容】
【手続補正１１】
【補正対象書類名】明細書
【補正対象項目名】００１９
【補正方法】削除
【補正の内容】
【手続補正１２】
【補正対象書類名】明細書
【補正対象項目名】００２０
【補正方法】削除
【補正の内容】
【手続補正１３】
【補正対象書類名】明細書
【補正対象項目名】００２１
【補正方法】削除
【補正の内容】
【手続補正１４】
【補正対象書類名】明細書
【補正対象項目名】００２２
【補正方法】削除
【補正の内容】
【手続補正１５】
【補正対象書類名】明細書
【補正対象項目名】００２３
【補正方法】変更
【補正の内容】
【００２３】
【課題を解決するための手段】
かかる課題を解決するためになされた請求項１に記載の本発明は、パチンコ機用回路基板を収納するケース本体と、該ケース本体に蓋をする蓋体とを備え、該蓋体および前記ケース本体を互いに離脱困難に封止するパチンコ機用基板ケースの封止構造において、２枚の板を短冊状の板で繋いだ構造の第１基台部と、２枚の板を短冊状の板で繋いだ構造の第２基台部と、前記蓋体に形成され、前記第１基台部の短冊状の板が入り込む溝と、前記ケース本体に形成され、前記第２基台部の短冊状の板が入り込む溝とを備え、前記第１基台部および前記第２基台部は、夫々前記蓋体の縁および前記ケース本体の縁を前記２枚の板にて挟むことにより、前記ケース本体から前記蓋体を取り外し自在となった状態でのみ、夫々前記蓋体および前記ケース本体に対して着脱自在にされており、前記第２基台部および前記第１基台部を夫々前記ケース本体および前記蓋体に取り付けた状態で、該第２基台部および該第１基台部を互いに固着するための基台部固着手段を備えることを特徴とする。
【手続補正１６】
【補正対象書類名】明細書
【補正対象項目名】００２４
【補正方法】削除
【補正の内容】
【手続補正１７】
【補正対象書類名】明細書
【補正対象項目名】００２５
【補正方法】削除
【補正の内容】
【手続補正１８】
【補正対象書類名】明細書
【補正対象項目名】００２６
【補正方法】削除
【補正の内容】
【手続補正１９】
【補正対象書類名】明細書
【補正対象項目名】００２７
【補正方法】削除
【補正の内容】
【手続補正２０】
【補正対象書類名】明細書
【補正対象項目名】００２８
【補正方法】削除
【補正の内容】
【手続補正２１】
【補正対象書類名】明細書
【補正対象項目名】００２９
【補正方法】削除
【補正の内容】
【手続補正２２】
【補正対象書類名】明細書
【補正対象項目名】００３０
【補正方法】削除
【補正の内容】
【手続補正２３】
【補正対象書類名】明細書
【補正対象項目名】００３１
【補正方法】削除
【補正の内容】
【手続補正２４】
【補正対象書類名】明細書
【補正対象項目名】００３２
【補正方法】削除
【補正の内容】
【手続補正２５】
【補正対象書類名】明細書
【補正対象項目名】００３３
【補正方法】削除
【補正の内容】
【手続補正２６】
【補正対象書類名】明細書
【補正対象項目名】００３４
【補正方法】削除
【補正の内容】
【手続補正２７】
【補正対象書類名】明細書
【補正対象項目名】００３５
【補正方法】削除
【補正の内容】
【手続補正２８】
【補正対象書類名】明細書
【補正対象項目名】００３６
【補正方法】削除
【補正の内容】
【手続補正２９】
【補正対象書類名】明細書
【補正対象項目名】００３７
【補正方法】削除
【補正の内容】
【手続補正３０】
【補正対象書類名】明細書
【補正対象項目名】００３８
【補正方法】削除
【補正の内容】
【手続補正３１】
【補正対象書類名】明細書
【補正対象項目名】００３９
【補正方法】削除
【補正の内容】
【手続補正３２】
【補正対象書類名】明細書
【補正対象項目名】００４０
【補正方法】削除
【補正の内容】
【手続補正３３】
【補正対象書類名】明細書
【補正対象項目名】００４１
【補正方法】削除
【補正の内容】
【手続補正３４】
【補正対象書類名】明細書
【補正対象項目名】００４２
【補正方法】削除
【補正の内容】
【手続補正３５】
【補正対象書類名】明細書
【補正対象項目名】００４３
【補正方法】削除
【補正の内容】
【手続補正３６】
【補正対象書類名】明細書
【補正対象項目名】００４４
【補正方法】削除
【補正の内容】
【手続補正３７】
【補正対象書類名】明細書
【補正対象項目名】００４５
【補正方法】削除
【補正の内容】
【手続補正３８】
【補正対象書類名】明細書
【補正対象項目名】００４６
【補正方法】削除
【補正の内容】
【手続補正３９】
【補正対象書類名】明細書
【補正対象項目名】００４７
【補正方法】削除
【補正の内容】
【手続補正４０】
【補正対象書類名】明細書
【補正対象項目名】００４８
【補正方法】削除
【補正の内容】
【手続補正４１】
【補正対象書類名】明細書
【補正対象項目名】００４９
【補正方法】変更
【補正の内容】
【００４９】
【発明の実施の形態】
請求項１に記載の封止構造は、蓋体に対して着脱自在に設けられる第１基台部と、ケース本体に対して着脱自在に設けられる第２基台部とを基台部固着手段にて固着することにより、間接的に固着するものとなっている。但し、第１基台部が着脱自在となるのは、ケース本体から蓋体を取り外し自在にした状態においてのみである（第２基台部も同様。ここで「取り外し自在にした状態」とは、取り外した状態も含むものとする）。
【手続補正４２】
【補正対象書類名】明細書
【補正対象項目名】００５２
【補正方法】削除
【補正の内容】
【手続補正４３】
【補正対象書類名】明細書
【補正対象項目名】００５３
【補正方法】削除
【補正の内容】
【手続補正４４】
【補正対象書類名】明細書
【補正対象項目名】００５４
【補正方法】削除
【補正の内容】
【手続補正４５】
【補正対象書類名】明細書
【補正対象項目名】００５９
【補正方法】変更
【補正の内容】
【００５９】
本図に示すように第１ボス９は、略円柱状の部材であり、円盤状のボス蓋１３がその上面３１に２本の繋ぎ部３３にて連結されている。この繋ぎ部３３には、折目３５が形成されており、ここで繋ぎ部３３を折り曲げるとボス蓋１３を上面３１に重合させることができる。
【手続補正４６】
【補正対象書類名】明細書
【補正対象項目名】００６３
【補正方法】変更
【補正の内容】
【００６３】
折目３５にて繋ぎ部３３を折り曲げていくと、図４（ｂ）に示すように切欠４９が爪３９に接近し、更に折り曲げるとボス蓋１３、爪３９が弾性変形してボス蓋１３が包囲部３７内に嵌まりこみ、図４（ｃ）の状態となる。この状態では、ボス蓋１３が上面３１に重合されており、爪３９は切欠４９に係合して、この重合が解けるのを防止する。しかも、ボス蓋１３の上面（ハッチングが施された面）、包囲部３７の上部、および爪３９の上部が面一となる。この面には指先などを引っ掛ける箇所がないため、ボス蓋１３を上面３１から引き剥がすのは困難である。以下、これら包囲部３７、爪３９、および切欠４９を固定部という。
【手続補正４７】
【補正対象書類名】明細書
【補正対象項目名】００６５
【補正方法】変更
【補正の内容】
【００６５】
図５（ａ）に示すように、締結する前からタッピンねじ２９は、貫通穴４３から離脱しない程度にねじ込まれている。図５（ａ）の状態からまず、タッピンねじ２９を貫通穴４３、螺合穴４５にねじ込んでいく。タッピンねじ２９の頭部の裏側が座繰り４１の中に更に形成されている座繰り５１の底面に当接すると締結は完了する。そしてボス蓋１３を上面３１に重合させ、切欠４９を爪３９に係合させると、封止は完了し、図５（ｂ）の状態となる。なお、第１ボス９、第２ボス１１、ボス蓋１３、タッピンねじ２９、貫通穴４３、螺合穴４５、第１連結部４７、および第２連結部１５が、本発明の基台部固着手段に相当する。
【手続補正４８】
【補正対象書類名】明細書
【補正対象項目名】００６８
【補正方法】変更
【補正の内容】
【００６８】
図６（ａ）に示すように蓋体５には、４本の溝５３が形成されており、第１基台部１９は、その上下面を為す２枚の板を４枚の短冊状の板で繋いだ構造をしている。この短冊状の板が溝５３に入り込み、上下面を為す２枚の板が蓋体５の縁を挟むことにより、第１基台部１９が蓋体５に取り付けられる。第２基台部１７は、第１基台部１９と略同様の構造をしており、ケース本体３に形成されている４本の溝５５に対して取り付けられる。すなわち、第１基台部１９および第２基台部１７は、夫々蓋体５およびケース本体３に対して着脱自在にされている。
【手続補正４９】
【補正対象書類名】明細書
【補正対象項目名】００８５
【補正方法】変更
【補正の内容】
【００８５】
従って、図１１に示した第１基台部１９、第２基台部１７の取付方法は、図６に示した態様と略同様の効果を奏することができる。
また、図１２に示すように、第１基台部１９を大型化して、タッピンねじ２９を収納する箱９１を設けてもよい。本図では第１ボス９にタッピンねじ２９をねじ込んでいるが、箱９１を設け、この中にタッピンねじ２９を入れておくことにより、第１ボス９にタッピンねじ２９をねじ込む工程が不要となる。すなわち、前記実施例では、解封を行なうか否かに関わらず、全ての貫通穴４３にタッピンねじ２９をねじ込んでおく必要があったが、この態様では、出荷時の封止に用いる数だけねじ込み、封止しておけばよい。なお、貫通穴４３にタッピンねじ２９をねじ込んでおく態様においても、箱９１を設けておけば、ここに予備のタッピンねじ２９を入れておくことができる。
【手続補正５０】
【補正対象書類名】明細書
【補正対象項目名】００８７
【補正方法】変更
【補正の内容】
【００８７】
このように２重に封止状態を守るには、ねじ１２０以外の態様でもよい。緩めてボス対７の締結を解くことができないようにする態様であれば、その他の形態を採用することができる。
また、第１ボス９や第２連結部１５の原料としてＡＢＳ樹脂を用いたが、封止の際の切断や成形等に支障がなければ、ポリカーボネート、塩化ビニル等の合成樹脂や、合成樹脂以外の材料を用いても構わない。